(57)【特許請求の範囲】
【請求項１】
旅行用電池充電器において、前記充電器は、上部カバー、下部カバーおよびその内部に収納される基板ボードを持つ本体を有し、かつ前記下部カバーは一対の平行な開口溝を持つ旅行用電池充電器についての可動プラグヘッドにおいて、
前記下部カバーの内面に載置されたプラグ、ここで前記プラグは二枚の金属板、一個の回転軸および二つの締付けブロックを有し、
前記金属板は鏡面反射に類似の互いに平行な細長直線形状を持つ開口溝の内部に収納され、および各金属板は第一端部と第二端部を持ち、第一端部は本体内部に伸長し、
前記回転軸および金属板は、金属板が開口溝内部の水平位置から下部カバーに対する垂直位置へ自由に回転し、金属板の第二端部を本体の外側に露出するように、第一端部近傍で一緒に結合されかつ本体内部に載置され、
前記締付けブロックは前記金属板の第一端部の周囲に置かれ、各締付けブロックは第一平面、第二平面、第三平面および第四平面を持ち、第一平面および第二平面は互いに垂直であり、第三平面および第一平面は互いに平行であり、第四平面および第二平面は互いに平行であり、第一平面は第一突出突起を持ち、および第二平面は第二突出突起を持ち、および前記上部カバーの内部に載置された一対の固定クランプを有し、
ここで前記固定クランプは導電性材料から製作され、かつ二つの把持スプリング板、第一スプリング板、および第二スプリング板を持ち、第一スプリング板は基板ボードと接触しかつそれに電気的に接続され、一対の把持スプリング板は互いにほぼ平行であり、各固定クランプの把持スプリング板は締付けブロックを把持し、および前記金属板の第一端部は、前記金属板が開口溝内部の水平位置から下部カバーに対する垂直位置へ引き出された時、第二スプリング板と接触し、ならびに  各固定クランプの把持スプリング板は金属板が開口溝内部の水平位置に引き込まれた時、締付けブロックの第二突出突起と第四平面を把持し、および各固定クランプの前記把持スプリング板は金属板が下部カバーに対する垂直位置に引き出された時、締付けブロックの第一突出突起と第三平面を把持することを特徴とする旅行用電池充電器についての可動プラグヘッド。
【請求項２】
上部カバーおよび下部カバーを持つ本体、ここで前記下部カバーは二つの平行開口溝を持ち、
前記本体内部の基板ボード、および一個のプラグと二つの固定クランプを持つ可動プラグヘッドを有し、ここで前記プラグは前記下部カバーの内面に載置され、前記プラグは二枚の金属板、一個の回転軸および二つの締付けブロックを持ち、
前記金属板は鏡面反射に類似の互いに平行な細長直線形状を持つ開口溝の内部に収納され、および各金属板は第一端部と第二端部を持ち、第一端部は本体内部に伸長し、
前記回転軸および金属板は、金属板が開口溝内部の水平位置から下部カバーに対する垂直位置へ自由に回転し、金属板の第二端部を本体の外側に露出するように、第一端部近傍で一緒に結合されかつ本体内部に載置され、
前記締付けブロックは前記金属板の第一端部の周囲に置かれ、および前記固定クランプは上部カバーの内部に載置され、ここで前記固定クランプは導電性材料から製作され、かつ二つの把持スプリング板、第一スプリング板、および第二スプリング板を持ち、第一スプリング板は基板ボードと接触しかつそれに電気的に接続され、一対の把持スプリング板は互いにほぼ平行であり、各固定クランプの前記把持スプリング板は締付けブロックを把持し、および前記金属板の第一端部は、前記金属板が開口溝内部の水平位置から下部カバーに対する垂直位置へ引き出された時、第二スプリング板と接触することを特徴とする旅行用電池充電器。
【発明の詳細な説明】
【０００１】
【発明の属する技術分野】
本発明は可動プラグヘッドに関する。より詳細には本発明は旅行用電池充電器についての可動プラグヘッドに関する。
【０００２】
【従来の技術】
情報機器は、コンピュータ革命後の電子産業に関する別の重大局面を展開している。いわゆる情報機器は、コミュニケーションまたはネットワーク能力を持つ広い範疇の装置を指し、かつ情報と娯楽活動を与える手段として機能している。このような定義に従って、情報機器は音声メッセージおよびネットワークのデータを送信／受信するためにネットワークと結合できる。例えば、移動用電話、携帯情報端末（ＰＤＡ）、ウェブパッド、およびノート型コンピュータは、すべて情報機器と考えられる。一般的に、再充電可能な電池は移動用電話、携帯情報端末、およびノート型コンピュータのような情報機器の操作用に必要な電力を提供する。電力の欠乏を防止するために、多くの旅行者は一組の予備電池の他に再充電可能電池を充電する、小型軽量の電池充電器を携帯する。
【０００３】
図１ａおよび１ｂは、従来の旅行用充電器の斜視図である。旅行用充電器は、上部カバー１１０と下部カバー１２０よりなる本体１００を持つ。プラグヘッドの二枚の金属板２００を本体１００からひらくことができるように、一対の平行な開口溝１２１が下部カバー１２０に形成される。容積を低減しかつ携帯性を強化するために、プラグヘッドの金属板２００は図１ａに示すように開口溝１２１中に曲げ戻すことができる。この充電器を使用する場合、金属板２００は図１ｂに示されるように折込み水平位置から本体１００に対する垂直位置へ回転される。
【０００４】
図２ａから２ｃは、図１ａおよび１ｂの従来の旅行用充電器を構成する要素を示す分解組立図である。二枚の金属板２００は、回転軸２１０を通して一緒に接続される。回転軸２１０は、下部カバー１２０の溝１２２によって把持される。回転軸２１０は、上部カバー１１０に取付けられた支持フレーム１１１の溝１１２に沿って回転できる。二枚の金属板２００間に、Ｌ字型把持ブロック２２０がある。更にこのＬ字型把持ブロック２２０は、その上にそれぞれ第一突出突起２２１および第二突出突起２２２を持つ複数の端面を持つ。把持ブロック２２０はｎ字型固定クランプ４００の二つの側壁４０３によって把持される。把持ブロック２２０およびｎ字型固定クランプ４００は、共に非導電性プラスチック材料から製作される。プラグヘッドの金属板２００が開口溝１２１内に折り込まれた時、把持ブロック２２０の第二突出突起２２２とその反対表面は、ｎ字型固定クランプ４００の二つの側壁４０３によって把持される。突起２２２の突出形状により、ｎ字型固定クランプ４００の側壁４０３は僅かに拡張しかつ把持ブロック２２０の把持力を増加する。従ってプラグヘッドの金属板２００は安定位置に係止される。一方、金属板２００は本体１００に垂直な位置へ回転する時、把持ブロック２２０の第一突出突起２２１とその反対表面は、ｎ字型固定クランプ４００の二つの側壁４０３によって把持される。同様に、突起２２１の突出形状により、ｎ字型固定クランプ４００の側壁４０３は僅かに拡張しかつ把持ブロック２２０の把持力を増加する。従って、プラグヘッドの金属板２００は、再度安定位置に係止される。本体１００から突出するそれぞれの金属板２００の第二端部２０２により、充電器は必要な電源を得るためにソケット（図示せず）に差し込むことができる。一方、金属板２００の反対側端部における第一端部２０１は本体１００内に引き込まれ、基板ボード３００上で弾性クリップ５００により把持される。従って、金属板２００と基板ボード３００上の接触点は電気的に接続される。
【発明が解決しようとする課題】
【０００５】
従来の旅行用充電器は、プラグヘッドの金属板を本体内の隠れた位置または本体の外部に露出された位置に置くために、主にｎ字型固定クランプを二つの突出突起を備える把持ブロックと共に使用する。その上、従来の設計は、電気的接続性のための一対の金属弾性クリップも必要とする。従ってより多くの構成要素が必要となり、組立てコストは増加する。
【０００６】
従って、本発明の一つの目的は充電器の全体的な厚みを低減する、金属クリップとしても機能する金属製ｎ字型固定クランプを備える旅行用電池充電器を提供することである。更に、充電器はできるだけ少ない構成要素を使用して、その結果材料および組立てコストを低減する。
【課題を解決するための手段】
【０００７】
これらの利点および他の利点を達成するため、並びにここに具体化されかつ概説されている本発明の目的に従って、本発明は旅行用電池充電器に適した可動プラグヘッド装置を提供する。充電器は上部カバー、下部カバーおよび基板ボードを有する。上部カバーおよび下部カバーは、その内部に収納された基板ボードを備えて完全な本体を一緒に形成する。上部カバーは、互いに平行である二つの開口溝を持つ。本発明の可動プラグヘッドは一個のプラグヘッドと二つの固定クランプを持つ。プラグヘッドは、下部カバーの内面と係合する。プラグヘッドは、二枚の金属板、一個の回転軸および二つの締付けブロックより構成される。金属板は、互いに鏡面反射の関係である細長直線開口溝の内部に置かれる。金属板は、第一端部と第二端部とを持つ。金属板の第一端部は、本体内部に伸長する。回転軸は、第一端部に接近した金属板に取付けられる。回転軸は、金属板が開口溝の内部の水平位置から垂直位置へ回転し、金属板の第二端部が本体下部カバーの外側に露出できるように、本体内部に載置される。
【０００８】
締付けブロックは、金属板のそれぞれの第一端部に置かれる。締付けブロックは、第一平面、第二平面、第三平面および第四平面を持つ。第一平面および第二平面は、互いに垂直である。第三平面および第一平面は互いに平行である。第四平面および第二平面は互いに平行である。第一平面は第一突出突起を持ち、および第二平面は第二突出突起を持つ。
【０００９】
二つの固定クランプが、下部カバーの内面に取付けられる。固定クランプは、導電性材料を使用して製作される。各固定クランプは、二つの把持スプリング板、第一スプリング板、および第二スプリング板を持つ。第一スプリング板は、基板ボードに取付けられかつそこに電気的に接続される。二つのスプリング板は、互いにほぼ平行である。各固定クランプは、締付けブロックを把持する。第二スプリング板は、金属板が開口溝内部の位置から下部カバーに対する垂直位置へ回転された後、金属板の第一端部と接触する。金属板が開口溝内に引き込まれた時、各固定クランプのスプリング板はそれぞれ締付けブロックの第二突出突起および第四平面を把持する。一方、金属板が下部カバーに対する垂直位置へ回転された時、各固定クランプのスプリング板はそれぞれ締付けブロックの第一突出突起および第三平面を把持する。
【００１０】
前述の一般的記述および以下の詳細な記述は共に例示であり、特許請求される本発明の更なる説明を提供することを意図している、ということが理解されるべきである。
【発明の実施の形態】
【００１１】
以下に本発明の現在の好適実施例について詳細な説明を行い、その例を添付図面に図示する。可能な個所ではどこでも、同一または類似部分を指すために同じ参照番号を図面および説明において使用する。
【００１２】
図３ａから３ｃは、本発明の好適実施例による旅行用電池充電器の構成要素を示す分解組立図である。この電池充電器の本体１１００は、上部カバー１１１０と下部カバー１１２０を有する。下部カバー１１２０は、一対の金属板１２００を本体１１００内に引き込ませるための相互に平行な二つの開口溝１１２１を持つ。
【００１３】
二枚の金属板１２００は、回転軸１２１０を通して一緒に結合される。回転軸１２１０は、下部カバー１１２０の溝１１２２と上部カバー１１１０の支持フレーム１１１１にある別の溝１１１２との間で捕捉される。しかしながら、回転軸１２１０は自由に回転できる。Ｌ字型締付けブロック１２２０が、各金属板１２００の第一端部１２０１近傍の位置に取付けられる。図４ａおよび４ｂを参照して、L字型締付けブロック１２２０は相互に垂直な二つの表面である、第一平面１２３１と第二平面１２３２を持つ。この第一平面１２３１および第二平面１２３２は、それぞれ第一突出突起１２２１と第二突出突起１２２２を持つ。締付けブロック１２２０は、固定クランプ１４００の二つのスプリング板１４０３によって所定位置にロックされる。締付けブロック１２２０は、非導電性プラスチック材料から製作される。
【００１４】
金属板１２００が開口溝１１２１内に折り込まれる時、締付けブロック１２２０の第二突出突起１２２２および第四平面１２３４は、固定クランプ１４００の二つのスプリング板１４０３によって緊密に把持される。その上、第二突出突起１２２２の突出形状によって、固定クランプ１４００の二つのスプリング板１４０３は外側へ押し出され、その結果、固定位置においてより大きなスプリング力と金属板１２００のより強い把持を生じる。このことが図４ｂ、５ａおよび５ｂに見られる。金属板１２００が本体１１００に対して垂直位置に回転する時、締付けブロック１２２０の第一突出突起１２２１および第三平面１２３３は、固定クランプ１４００の二つのスプリング板１４０３によって緊密に把持される。更に、第一突出突起１２２１の突出形状によって、固定クランプ１４００の二つのスプリング板１４０３は外側へ押し出され、その結果、固定位置においてより大きなスプリング力と金属板１２００のより強い把持を生じる。このことが図４ａ、６ａおよび６ｂに見られる。金属板１２００の第二端部１２０２は、この時本体１１００の外側に露出されているので、充電器は必要な電力を受けるためにソケット（図示せず）に差し込むことができる。一方、本体１１００内部の金属板１２００の第一端部１２０１は、固定クランプ１４００の第二スプリング板１４０２と接触状態にある。固定クランプ１４００の第一スプリング板１４０１は基板ボード１３００上の導電性パッド１３０１と接触状態にあるので、金属板１２００と基板ボード１３００は電気的に接続される。
【００１５】
本発明において、固定クランプ１４００は位置固定装置として機能し、かつスプリング板１４０３は金属プローブ（金属板１２００）のための把持体として機能する。従って、充電器の金属プローブは本体１１００から引き出され、かつソケットとの係合位置にロックすることができる。金属プローブはまた、充電器が最早使用されない時本体１１００内に引き込まれ、かつ再度その所定位置にロックすることができる。固定クランプ１４００は燐青銅またはベリリウム青銅のような可撓性導電材料から製作される。
【００１６】
結論として、本発明の主要な利点は下記を含む。すなわち、
１．構成要素の数を最小化するために、金属製ｎ字型固定クランプが、従来のプラスチッククランプおよび導電性金属スプリング板と置き換わる。従って材料と組立てコストが低減される。
２．プラスチック材料に代わって金属材料が使用される時、皮膚状に薄いｎ字型固定クランプが形成される。最終的に、旅行用電池充電器の全体的な厚みが低減される。
【００１７】
本発明の範囲とその意図から逸脱することなしに色々な変更および変化が本発明の構造になされ得る、ということは当技術に習熟した人々には自明であろう。前記を考慮して本発明は、本発明の変更および変化が下記の特許請求の範囲とその等価範囲に入るならばそれらにも及ぶ、ということが意図されている。
添付図面は本発明のより良い理解を与えるために含まれ、および本明細書に組込まれかつその一部を構成する。図面は本発明の実施例を図示し、かつ説明と共に本発明の原理を解説するために役立つ。図面において、
【図面の簡単な説明】
【図１ａ】  従来の旅行用充電器の斜視図である。
【図１ｂ】  従来の旅行用充電器の斜視図である。
【図２ａ】  図１ａおよび１ｂの従来の旅行用充電器を構成する要素を示す分解組立図である。
【図２ｂ】  図１ａおよび１ｂの従来の旅行用充電器を構成する要素を示す分解組立図である。
【図２ｃ】  図１ａおよび１ｂの従来の旅行用充電器を構成する要素を示す分解組立図である。
【図３ａ】  本発明の好適実施例による旅行用電池充電器の構成要素を示す分解組立図である。
【図３ｂ】  本発明の好適実施例による旅行用電池充電器の構成要素を示す分解組立図である。
【図３ｃ】  本発明の好適実施例による旅行用電池充電器の構成要素を示す分解組立図である。
【図４ａ】  本発明の好適実施例による可動プラグヘッドを詳細に示す斜視図である。
【図４ｂ】  本発明の好適実施例による可動プラグヘッドを詳細に示す斜視図である。
【図５ａ】  閉止位置における本発明の可動プラグヘッドを示す斜視図である。
【図５ｂ】  閉止位置における本発明の可動プラグヘッドを示す斜視図である。
【図６ａ】  展開位置における本発明の可動プラグヘッドを示す斜視図である。
【図６ｂ】  展開位置における本発明の可動プラグヘッドを示す斜視図である。
【符号の説明】
１１１０  上部カバー
１１２０  下部カバー
１１２１  開口溝
１２００  金属板
１２１０  回転軸
１２２０  締付けブロック
１３００  基板ボード
１３０１  導電性パッド
１４００  固定クランプ
１４０１  第一スプリング板
１４０２  第二スプリング板
【図１ａ】
0003902074.tif 000002
【図１ｂ】
0003902074.tif 000003
【図２ａ】
0003902074.tif 000004
【図２ｂ】
0003902074.tif 000005
【図２ｃ】
0003902074.tif 000006
【図３ａ】
0003902074.tif 000007
【図３ｂ】
0003902074.tif 000008
【図３ｃ】
0003902074.tif 000009
【図４ａ】
0003902074.tif 000010
【図４ｂ】
0003902074.tif 000011
【図５ａ】
0003902074.tif 000012
【図５ｂ】
0003902074.tif 000013
【図６ａ】
0003902074.tif 000014
【図６ｂ】
0003902074.tif 000015